(57)【要約】【課題】長期に亘って樹脂製便器の蛍光塗料の発光性能を持続させること。樹脂製便器の製造の手間やコストを大幅に削減すること。真夜中のトイレ使用者を覚醒させないようにしながらスムーズに用便を足せるようにすること。【解決手段】少なくとも便器の表面部が、紫外線により発光する蛍光塗料を含有させた蛍光塗料含有樹脂からなるコア層４と、コア層４の表面を被覆する透明樹脂からなるスキン層５とが積層一体化された樹脂成形品６により構成された樹脂製便器１である。【選択図】図１
2009235750.tif 000002
【特許請求の範囲】
【請求項１】
洋式の樹脂製便器であって、少なくとも便器の表面部が、紫外線により発光する蛍光塗料を含有させた蛍光塗料含有樹脂からなるコア層と、コア層の表面を被覆する透明樹脂からなるスキン層とが積層一体化された樹脂成形品により構成されていることを特徴とする樹脂製便器。
【請求項２】
トイレ空間に、請求項１記載の樹脂製便器と、樹脂製便器に向けて紫外線を照射する紫外線ランプとを設置し、夜間のトイレ使用者を覚醒させないようにするための紫外線の照射により樹脂製便器を構成する樹脂成形品中の蛍光塗料を発光させるようにしたことを特徴とするトイレ装置。
【発明の詳細な説明】
【技術分野】
【０００１】
本発明は、樹脂製便器及び該樹脂製便器を備えたトイレ装置に関するものである。
【背景技術】
【０００２】
一般に、真夜中にトイレに行き、照明を点灯させると、その明るさのために眠気が覚めてしまい、再び眠ることができなくなってしまうということがある。また眠気を覚まさないためにトイレの照明を消して用を足すとき、特に男性が小便をしているときに、便器の溜まりの位置が定まらず、便器や床周辺を汚してしまうという事態も生じる。
【０００３】
そこで、最近、暗闇で発光する蓄光材（夜光塗料）を便器の表面の一部に焼成若しくは焼き付け又は貼り付け、塗布などにより取り付けたトイレ装置が知られている（例えば、特許文献１参照）。
【０００４】
しかし、上記特許文献１に示される従来例では、便器の表面の一部に蓄光材を取り付けるのに手間とコストがかかり、そのうえ便器の清掃などで蓄光材が剥がれ落ちやすくなり、長期にわたって発光機能が得られなくなるという課題がある。
【特許文献１】特開２００４−２１８２４３号公報
【発明の開示】
【発明が解決しようとする課題】
【０００５】
本発明は上記の従来の問題点に鑑みて発明したものであって、長期に亘って蛍光塗料の発光性能を持続させることができると共に製造の手間やコストを大幅に削減できるようにした樹脂製便器を提供することを課題とし、さらに、紫外線ランプによって樹脂製便器の蛍光塗料を発光させることにより、夜間のトイレ使用者を覚醒させないようにしながらスムーズに用便を足すことができるようにしたトイレ装置を提供することを課題とするものである。
【課題を解決するための手段】
【０００６】
前記の課題を解決するために、本発明に係る樹脂製便器は、少なくとも便器の表面部が、紫外線により発光する蛍光塗料を含有させた蛍光塗料含有樹脂からなるコア層４と、コア層４の表面を被覆する透明樹脂からなるスキン層５とが積層一体化された樹脂成形品６により構成されていることを特徴としている。
【０００７】
このような構成とすることで、樹脂成形品６のコア層４中に含有される蛍光塗料がスキン層５によって保護されているため、便器の清掃などで蛍光塗料が剥がれ落ちる心配がなくなり、そのうえ、樹脂成形品６を成形をする際にコア層４となる樹脂中に蛍光塗料を含有させるだけで、紫外線により発光する樹脂製便器１を容易に得ることができる。
【０００８】
また、本発明に係るトイレ装置は、トイレ空間に、上記樹脂製便器１と、樹脂製便器１に向けて紫外線を照射する紫外線ランプとを設置し、夜間のトイレ使用者を覚醒させないようにするための紫外線の照射により上記樹脂製便器１を構成する樹脂成形品６中の蛍光塗料を発光させるようにしたことを特徴としている。
【０００９】
このような構成とすることで、例えば真夜中のトイレ使用において、紫外線ランプは目に見えない紫外線を放射し、この紫外線が樹脂製便器１を構成する樹脂成形品６中の蛍光塗料に当たって目に見える光を発光させるので、暗がりのなかで樹脂製便器１だけがほのかな蛍光色で浮き上がり、便座２ａや便蓋３の開け閉めがやりやすくなると共に男性が小便をする場合に便器や床周辺を汚してしまうこともなくなる。
【発明の効果】
【００１０】
本発明の樹脂製便器は、長期に亘って蛍光塗料の発光性能を持続させることができると共に、従来のような便器の表面の一部に蓄光材を別途取り付ける場合と比較して製造の手間やコストを大幅に削減できる効果が得られる。
【００１１】
本発明のトイレ装置は、紫外線によって樹脂製便器の蛍光塗料を発光させることができ、夜間のトイレ使用者を覚醒させないようにしながらスムーズに用便を足すことができる効果が得られる。
【発明を実施するための最良の形態】
【００１２】
以下、本発明を添付図面に示す実施形態に基いて説明する。
【００１３】
図２、図３は本発明の一実施形態を示す洋式の樹脂製便器１であり、例えば、封水を貯留するボウル部とこのボウル部の周囲を囲繞するスカート部２ｂとで便器本体２が構成され、ボウル部の上端外周部上に開閉自在に便座２ａが設置され、さらに便座２ａを含む便器本体２の上面に起倒自在に便蓋３が載置されている。
【００１４】
上記樹脂製便器１の少なくとも表面部が、図１に示すように、紫外線により発光する蛍光塗料を含有させた蛍光塗料含有樹脂からなるコア層４と、コア層４の表面を被覆する透明樹脂からなるスキン層５との少なくとも３層以上が積層一体化された樹脂成形品６で構成されている。例えば、サンドイッチ射出成形法によりスキン層５となる透明樹脂とコア層４となる蛍光塗料含有樹脂とを同時に射出成形して製造される。
【００１５】
上記スキン層５を構成する透明樹脂としては、例えば、透過率の優れたアクリル樹脂やポリカーボネート樹脂、ＡＢＳ樹脂等が選択使用される。
【００１６】
上記コア層４を構成する樹脂中に含有される蛍光塗料は、紫外線を当てたときに光を放つ蛍光物質を含んだ塗料であり、例えば赤、緑、青の蛍光を発する物質が選択使用される。
【００１７】
上記樹脂製便器１が設置されるトイレ空間の天井、或いは壁には、樹脂製便器１に向けて紫外線を照射する紫外線ランプ（図示せず）が設置されている。紫外線ランプとして、可視光をほとんど照射せず、紫外線乃至近紫外線光を照射する紫外線ＬＥＤ等が使用される。
【００１８】
しかして、真夜中のトイレ使用において、紫外線ランプは目に見えない紫外線を放射し、この紫外線が樹脂製便器１を構成する樹脂成形品６中の蛍光塗料に当たって目に見える光を発光させる。従って、トイレ使用者の眠気を覚醒させないようにしながら、樹脂製便器１全体がほのかな光で浮き上がるようになるので、便座２ａや便蓋３の開け閉めがやりやすくなり、また、男性が小便をする場合にも、便器本体２のボウル部の輪郭に沿って蛍光塗料が発光することによって、ボウル部の形状が視認しやすくなるため、便器外の床面に小便を飛び散らせて汚すようなこともなくなる。
【００１９】
また、蛍光塗料が含有されるコア層４はスキン層５によって被覆されて保護されているので、便器の清掃などで蛍光塗料が剥がれ落ちる心配がなくなり、長期に亘って蛍光塗料の発光性能を持続させることができる利点がある。
【００２０】
さらに、樹脂成形時にはコア層４となる樹脂中に蛍光塗料を含有させるだけでよいので、従来の便器の表面の一部に蓄光材を取り付ける場合と比較して、紫外線により発光する樹脂製便器１の製造の手間やコストを大幅に削減できる利点もある。
【００２１】
なお、紫外線ランプの照度は、照度センサで測定して、眠気が覚めない程度の適度な照度に調整することが可能である。また人体感知センサを設け、該センサによる感知に基づいて紫外線ランプを点灯、消灯させるようにしてもよい。
【図面の簡単な説明】
【００２２】
【図１】本発明の一実施形態の樹脂製便器を構成する樹脂成形品を説明する破断した斜視図である。
【図２】同上の樹脂製便器の正面図である。
【図３】同上の便蓋を開けた状態の便器本体の平面図である。
【符号の説明】
【００２３】
１  樹脂製便器
４  コア層
５  スキン層
６  樹脂成形品
【図１】
2009235750.tif 000003
【図２】
2009235750.tif 000004
【図３】
2009235750.tif 000005